(57)【要約】【課題】ＩＰ電話機等を複数拠点に分散設置されたＩＰ電話システムのＩＰ網障害時に、ゲートキーパ装置の無い拠点内のＩＰ電話機から同一拠点内の他のＩＰ電話機や公衆電話網へ発着信し得るようにする。【解決手段】ＧＫの機能を有し拠点ＢのＩＰ電話機３およびＧＷ４ｂのみを処理対象とするＧＫＲ８を拠点Ｂに設け、拠点Ｂの複数のＩＰ電話機３およびＧＷ４ｂに拠点Ａに設けたＧＫ５のＩＰアドレスとして当該ＧＫのＩＰアドレスの代わりにＧＫＲ８のＩＰアドレスを登録し、複数のＩＰ電話機３およびＧＷ４ｂとＧＫ５との間で送受信される制御信号の内、拠点Ｂの複数のＩＰ電話機３およびＧＷ４ｂが送信する制御信号は、ＧＫＲ８が当該制御信号を一旦受信してからＧＫ５に中継し、ＧＫ５が送信する制御信号は、ＧＫＲ８が当該制御信号を一旦受信してから拠点Ｂの複数のＩＰ電話機３およびＧＷ４ｂに中継するようにする。【選択図】　　　　図１
2004140758.tif 000002
【特許請求の範囲】
【請求項１】
第１および第２の拠点のそれぞれに設けられたゲートウェイ装置と、前記第１および第２の拠点に設けられ前記ゲートウェイ装置のそれぞれに接続される複数のＩＰ電話機と、前記第１の拠点に設けられ前記複数のＩＰ電話機および前記ゲートウェイ装置の管理ならびに電話発着信の呼制御を行うゲートキーパ装置とを備えるＩＰ電話システムにおいて、
前記第２の拠点に設けられた複数のＩＰ電話機およびゲートウェイ装置のみを処理対象とするとともにゲートキーパ装置の機能を有するゲートキーパリレー装置を前記第２の拠点に設け、
前記第２の拠点に設けられた複数のＩＰ電話機およびゲートウェイ装置に、前記ゲートキーパ装置のＩＰアドレスとして当該ゲートキーパ装置のＩＰアドレスの代わりに前記ゲートキーパリレー装置のＩＰアドレスを登録し、
前記複数のＩＰ電話機および前記ゲートウェイ装置と前記ゲートキーパ装置との間で送受信される制御信号の内、前記第２の拠点に設けられた複数のＩＰ電話機およびゲートウェイ装置が送信する制御信号については、前記ゲートキーパリレー装置が当該制御信号を一旦受信した後に、当該制御信号を前記ゲートキーパ装置に中継するように構成するとともに、
前記ゲートキーパ装置が送信する制御信号については、前記ゲートキーパリレー装置が当該制御信号を一旦受信した後に、当該制御信号を前記第２の拠点に設けられた複数のＩＰ電話機およびゲートウェイ装置に中継するように構成したことを特徴とするＩＰ電話システム。
【請求項２】
前記ゲートキーパリレー装置は、前記ゲートキーパ装置との間でＩＰパケットを正常に送受信可能か否かを判定する機能を備え、前記ゲートキーパ装置との間でＩＰパケットを正常に送受信不可能な状態の場合には、前記第２の拠点に設けられた複数のＩＰ電話機およびゲートウェイ装置に対して前記ゲートキーパ装置と同様な動作を行うことを特徴とする請求項１記載のＩＰ電話システム。
【請求項３】
前記ゲートキーパ装置との間でＩＰパケットを正常に送受信可能か否かを判定する機能は、前記ゲートキーパリレー装置から前記ゲートキーパ装置に定期的に接続確認要求信号を送信し続けたときに、一定時間内に接続確認応答信号を受信した場合にはＩＰパケットを正常に送受信可能と判定し、一定時間内に接続確認応答信号を受信しない場合にはＩＰパケットを正常に送受信不可能と判定するものであることを特徴とする請求項２記載のＩＰ電話システム。
【請求項４】
前記ゲートキーパリレー装置は、前記ゲートキーパ装置が備えている電話番号およびＩＰアドレスを管理するための端末管理テーブルとは独立した端末管理テーブルを備え、前記第２の拠点に設けられた何れか１つのＩＰ電話機やゲートウェイ装置から端末登録信号を受信した場合には、当該端末登録信号を前記ゲートキーパ装置に中継するとともに当該端末登録信号に含まれる情報を一時的に記憶し、前記ゲートキーパ装置から端末登録完了信号を受信した場合には、当該端末登録完了信号を前記第２の拠点に設けられた前記何れか１つのＩＰ電話機およびゲートウェイ装置に中継するとともに、一時的に記憶しておいた当該端末登録信号に含まれる情報を読み出して、前記ゲートキーパリレー装置自体が備える端末管理テーブルに当該電話番号およびＩＰアドレスを登録することを特徴とする請求項１〜３の何れか１項記載のＩＰ電話システム。
【請求項５】
前記ゲートキーパリレー装置は、前記ゲートキーパ装置から端末登録失敗信号を受信した場合には、当該端末登録失敗信号を前記第２の拠点に設けられた前記何れか１つのＩＰ電話機およびゲートウェイ装置に中継するとともに、一時的に記憶しておいた当該端末登録信号に含まれる情報を破棄することを特徴とする請求項４記載のＩＰ電話システム。
【請求項６】
前記ゲートキーパリレー装置は、前記ゲートキーパ装置との間でＩＰパケットを正常に送受信不可能な状態においては、前記ゲートキーパリレー装置自体が備える端末管理テーブルを参照して、前記ゲートキーパ装置と同様な動作を行うことを特徴とする請求項１〜５の何れか１項記載のＩＰ電話システム。
【請求項７】
前記ゲートキーパリレー装置は、前記ゲートキーパ装置からアドレス通知信号を受信したとき、当該アドレス通知信号に含まれる呼制御信号送信先ＩＰアドレスの内容に拘わらず、前記ゲートキーパリレー装置自体のＩＰアドレスを呼制御信号送信先ＩＰアドレスとして含むアドレス通知信号を前記第２の拠点に設けられた複数のＩＰ電話機およびゲートウェイ装置に送信することを特徴とする請求項１〜６の何れか１項記載のＩＰ電話システム。
【請求項８】
前記ゲートキーパリレー装置は、宛先番号情報を置換する規則を規定した番号置換テーブルを備え、前記第２の拠点に設けられた複数のＩＰ電話機やゲートウェイ装置から発信信号を受信したときに、当該発信信号に含まれる宛先番号情報を分析し、前記番号置換テーブルに記載されている番号であった場合には、該番号置換テーブルに規定されている規則に従って前記宛先番号情報を置換し、置換後の宛先番号情報を含む発信信号を前記ゲートキーパ装置に送信することを特徴とする請求項１〜７の何れか１項記載のＩＰ電話システム。
【請求項９】
前記ゲートキーパリレー装置は、前記ゲートキーパ装置が備えている宛先番号情報と接続先ゲートウェイ装置との対応を記載したゲートウェイ装置選択テーブルとは独立したゲートウェイ装置選択テーブルを備え、前記ゲートキーパ装置との間でＩＰパケットを正常に送受信不可能な状態の場合には、発信信号を受信したときに当該発信信号に含まれる宛先番号情報を分析し、該宛先番号情報に基づいて前記ゲートキーパリレー装置自体が備えるゲートウェイ装置選択テーブルを参照して、接続するゲートウェイ装置を選択することを特徴とする請求項８記載のＩＰ電話システム。
【発明の詳細な説明】
【０００１】
【発明の属する技術分野】
本発明は、音声をＩＰパケットに変換して伝送するＩＰ電話システムに関するものである。
【０００２】
【従来の技術】
インターネットやイントラネットの普及に伴い、電話の音声をＩＰパケットに変換して伝送する、いわゆるＩＰ電話システム（以下、ＩＰ電話システムという）が注目されている。その理由は、従来の回線交換方式の電話システムでは電話専用の伝送路（アナログ電話回線）が必要であったのに対し、ＩＰ電話システムはＩＰネットワークを伝送路として用いるため、サーバやパソコン等が送受信するデータ系のＩＰトラヒックと伝送路を共通化できるからである。特に、地理的に離れた複数の拠点を持つ企業の場合、拠点間をＩＰ専用線やＩＰ−ＶＰＮ等のＩＰネットワークで接続すれば、電話用に別途専用線を用意しなくても電話トラヒックもデータトラヒックも両方共伝送することが可能になるので、コスト面でも極めて有利である。
【０００３】
上述した従来のＩＰ電話システムは、例えば図１１に示すように構成されている。図１１において、例えば地理的に離れた場所に存在する拠点Ａおよび拠点ＢのそれぞれにはＬＡＮが構築されており、ルータ（Ｒ）、複数のＩＰ電話機（３０００番〜３００３番／４００１番，４００２番）およびゲートウェイ装置（ＧＷ）がＬＡＮに接続されている。ルータ（Ｒ）はＩＰ網に接続されており、拠点Ａ、拠点ＢのＬＡＮに接続されている各装置は、ＩＰ網経由でＩＰパケットを相互に送受信できる状態になっている。拠点ＡのＬＡＮには、ゲートキーパ装置（ＧＫ）が接続されている。ＧＫは、ＩＰ電話システムを制御する装置であり、ＩＰ電話機やＧＷを管理する機能および電話発着信を制御する機能等を有している。ＩＰ電話システムの制御プロトコルとしては、多くの場合、Ｈ．３２３（ＩＴＵ−Ｔで標準化されている）やＳＩＰ（ＲＦＣで規定されている）が使用されている。
【０００４】
このようなＩＰ電話システムでは、制御信号や音声信号等の信号は全てＩＰパケットとして送受信されるため、各装置は他の装置に信号を送信する際には、送信相手のＩＰアドレスが既知である必要がある。例えば、電話番号が３０００番のＩＰ電話機から４０００番のＩＰ電話機に電話を掛けるためには、３０００番のＩＰ電話機において４０００番のＩＰ電話機のＩＰアドレスが既知である必要があるが、ＩＰ電話機の台数が多い場合に各ＩＰ電話機に他のＩＰ電話機のＩＰアドレスの全てを記憶させておくことは非効率的である。このため、従来のＩＰ電話システムでは、一般的に、ＧＫに端末管理テーブル（各ＩＰ電話機の電話番号およびＩＰアドレスを管理するためのテーブル）を具備させておき、この端末管理テーブルを利用して、発信元のＩＰ電話機が発信先のＩＰ電話機のＩＰアドレスをＧＫに問い合わせる機構を設けている。つまり、３０００番のＩＰ電話機が４０００番のＩＰ電話機に電話を掛ける際には、ＧＫに４０００番のＩＰ電話機のＩＰアドレスを問い合わせ、ＧＫから通知されたＩＰアドレスに対して発信するような機構を用いるため、発信元のＩＰ電話機には、ＧＫのＩＰアドレスのみを設定しておけばよいことになる。
【０００５】
上記端末管理テーブルには、以下のようにして各ＩＰ電話機のＩＰアドレスが登録される。すなわち、各ＩＰ電話機は、電源投入時に、図１２のシーケンスに示すように、既に記憶しているＧＫのＩＰアドレスに対し、ＩＰ電話機自体の電話番号およびＩＰアドレスを含む端末登録信号を送信する。ＧＫは、受信した端末登録信号に含まれるＩＰアドレスを端末管理テーブルに登録した後、端末登録信号を送ってきたＩＰ電話機に端末登録完了信号を返信する。この端末登録により、例えば端末登録前に図１３（ａ）に示すように各ＩＰアドレス欄が空欄になっていたＧＫの端末登録テーブルは、端末登録完了後には、図１３（ｂ）に示すように各ＩＰアドレス欄にＩＰアドレスが記入された状態になる。
【０００６】
上記ＩＰ電話システムにおいて、３０００番のＩＰ電話機から４０００番のＩＰ電話機に電話を掛ける場合のシーケンスは図１４、図１５に例示したようになる。すなわち、図１４に例示した電話発着信シーケンスでは、３０００番のＩＰ電話機は、まずＧＫに４０００番のＩＰ電話機のアドレスを問い合わせる。これにより、４０００番のＩＰ電話機のＩＰアドレスが通知される（アドレス問合せ〜アドレス通知）ので、３０００番のＩＰ電話機は、通知されたＩＰアドレスに発信する（発信）。これに対し、４０００番のＩＰ電話機は応答信号を返送する（応答）。この応答信号には、通話で使用するＩＰアドレスが含まれているので、３０００番のＩＰ電話機は、通知されたＩＰアドレスに対し、それ自体のＩＰアドレスおよび音声パケットを送受信する音声ポート情報を含む通話パス設定信号を送信する。この通話パス設定信号を受けた４０００番のＩＰ電話機は、それ自体のＩＰアドレスおよび音声パケットを送受信する音声ポート情報を含む通話パス設定完了信号を返信する（通話パス設定〜通話パス設定完了）。以上により、３０００番のＩＰ電話機と４０００番のＩＰ電話機との間に論理的な通話パスが設定され、その後、交換したＩＰアドレスと音声ポートに対して音声パケットが送受信される。
【０００７】
上記図１４の電話発着信シーケンスでは、３０００番のＩＰ電話機が４０００番のＩＰ電話機に直接発信信号を送信するように構成しているが、この電話発着信シーケンスの代わりに、図１５に例示した電話発着信シーケンスを用いることができる。すなわち、図１５の電話発着信シーケンスでは、ＧＫは、アドレスを通知する際に、４０００番のＩＰ電話機のＩＰアドレスの代わりにＧＫ自体のＩＰアドレスを通知する。これにより、３０００番のＩＰ電話機はＧＫに発信信号を送信（発信）し、ＧＫは４０００番のＩＰ電話機に着信信号を送出して着信させ、４０００番のＩＰ電話機はＧＫに応答信号を返信し、ＧＫはこの応答信号を３０００番のＩＰ電話機に中継（応答）する。この応答信号には４０００番のＩＰ電話機のＩＰアドレスが含まれており、ＧＫはこのＩＰアドレスをそのまま中継する。以降は、図１４の場合と同様である。
図１４および図１５の電話発着信シーケンスの相違点は、発信〜応答に至る各種信号をＩＰ電話機間で直接送受信するか、ＧＫが中継する形で送受信するかであるが、後者の場合にはＧＫが様々な電話サービスを提供し得るようになる利点がある。例えば、ＧＫは各ＩＰ電話機が空き状態か通話状態かを管理することができるので、４０００番のＩＰ電話機が通話中のときに、４０００番に掛かってきた電話を別のＩＰ電話機に自動転送するようなサービスを実現可能である。
【０００８】
上記図１１に示す従来のＩＰ電話システムにおいて、拠点Ａおよび拠点Ｂに設けられたＧＷはそれぞれ公衆電話網に接続されているが、これらＧＷ装置はＩＰ電話システムで使用している信号方式と公衆電話網で使用されている信号方式との相互変換を行う装置であり、各ＩＰ電話機は、これらＧＷ装置を経由して公衆電話網に電話をか掛けることができるようになる。図１６はＧＫが備えているＧＷ選択テーブルを例示しており、図中のＧＷ選択番号は、「ＧＷに対する発信であることを識別する番号」であり、このＧＷ選択番号毎に、接続するＧＷが決定されることになる。例えば３０００番のＩＰ電話機が「０＋公衆電話網の電話番号」に発信した場合には、図１７に示すようなシーケンスで拠点ＡのＧＷ経由で公衆電話網に接続される。
【０００９】
すなわち、ＧＫは、「０＋公衆電話網の電話番号」への発信信号を受信した場合には、図１６のＧＷ選択テーブルより拠点ＡのＧＷのＩＰアドレスを取得した後に、該ＩＰアドレスに対して発信信号を送信する。この発信信号には着信先の電話番号が含まれているが、前記ＧＫは、前記ＧＷ選択番号中の「０」を削除した「公衆電話網の電話番号」のみをセットするので、拠点ＡのＧＷは、図１７に示すように、公衆電話網に対して、公衆電話網の制御信号を用いて「公衆電話網の電話番号」に発信を行う。これに対し、公衆電話網から応答があると、拠点ＡのＧＷは、ＧＫ経由で３０００番のＩＰ電話機に応答信号を送信する。以下、図１５のシーケンスと同様に３０００番のＩＰ電話機および拠点ＡのＧＷ間で通話パスが設定され、３０００番のＩＰ電話機および拠点ＡのＧＷ間で音声パケットが送受信されるようになる。その際、拠点ＡのＧＷは、ＩＰ電話システム側の音声パケットと公衆電話網側の音声信号との相互変換を行うので、３０００のＩＰ電話機は公衆電話網および拠点ＡのＧＷ経由で通話することが可能になる。
【００１０】
【発明が解決しようとする課題】
上記図１１に示す従来のＩＰ電話システムにおいては、ＧＫは拠点Ａ側のみに設けられているため、ＧＷの無い拠点ＢのＩＰ電話機とＧＫとの間の制御信号はＩＰ網経由で送受信されることになり、通常時はＩＰ網を経由しても問題ないが、ＩＰ網が障害になった場合には多大な問題が生じる。すなわち、ＩＰ網の障害時には拠点Ａおよび拠点Ｂ間のＩＰパケットの伝達が滞るので、拠点ＢのＩＰ電話機は、拠点ＡのＩＰ電話機に電話が掛けられないのは勿論、拠点Ｂの他のＩＰ電話機や拠点ＢのＧＷ経由で公衆電話網に電話を掛けることすら出来なくなってしまう。図１８は拠点Ｂの４０００番のＩＰ電話機が４００１番のＩＰ電話機に電話を掛けようとした場合のシーケンス例を示しているが、この場合、４０００番のＩＰ電話機からＧＫにアドレス問合せ信号を送信してもＩＰ網の障害のためにそのアドレス問合せ信号はパケットロスとなってＧＫに届かないので、アドレス問合せ信号の再送を繰り返してもＧＫからアドレス通知信号を受信することができず、結局、４００１番のＩＰ電話機に発信することができなくなる。なお、４００１番のＩＰ電話機または公衆網に接続された電話機から４０００番のＩＰ電話機へ掛けた場合も同様に、４０００番のＩＰ電話機に着信することができなくなる。
【００１１】
本発明は、ＩＰ電話機やゲートウェイ装置が複数の拠点に分散設置されているＩＰ電話システムの拠点間を接続するＩＰ網が障害になった場合に、ゲートキーパ装置を設けていない拠点内のＩＰ電話機から同一拠点内の他のＩＰ電話機や公衆電話網へ発着信し得るようにしたＩＰ電話システムを提供することを目的とする。
【００１２】
【課題を解決するための手段】
上記目的を達成するため、請求項１に記載の第１発明は、第１および第２の拠点のそれぞれに設けられたゲートウェイ装置と、前記第１および第２の拠点に設けられ前記ゲートウェイ装置のそれぞれに接続される複数のＩＰ電話機と、前記第１の拠点に設けられ前記複数のＩＰ電話機および前記ゲートウェイ装置の管理ならびに電話発着信の呼制御を行うゲートキーパ装置とを備えるＩＰ電話システムにおいて、前記第２の拠点に設けられた複数のＩＰ電話機およびゲートウェイ装置のみを処理対象とするとともにゲートキーパ装置の機能を有するゲートキーパリレー装置を前記第２の拠点に設け、前記第２の拠点に設けられた複数のＩＰ電話機およびゲートウェイ装置に、前記ゲートキーパ装置のＩＰアドレスとして当該ゲートキーパ装置のＩＰアドレスの代わりに前記ゲートキーパリレー装置のＩＰアドレスを登録し、前記複数のＩＰ電話機および前記ゲートウェイ装置と前記ゲートキーパ装置との間で送受信される制御信号の内、前記第２の拠点に設けられた複数のＩＰ電話機およびゲートウェイ装置が送信する制御信号については、前記ゲートキーパリレー装置が当該制御信号を一旦受信した後に、当該制御信号を前記ゲートキーパ装置に中継するように構成するとともに、前記ゲートキーパ装置が送信する制御信号については、前記ゲートキーパリレー装置が当該制御信号を一旦受信した後に、当該制御信号を前記第２の拠点に設けられた複数のＩＰ電話機およびゲートウェイ装置に中継するように構成したことを特徴とする。
【００１３】
第１発明によれば、第２の拠点には、該第２の拠点に設けられた複数のＩＰ電話機およびゲートウェイ装置のみを処理対象とするとともにゲートキーパ装置の機能を有するゲートキーパリレー装置が設けられており、前記第２の拠点に設けられた複数のＩＰ電話機およびゲートウェイ装置には、前記ゲートキーパ装置のＩＰアドレスとして当該ゲートキーパ装置のＩＰアドレスの代わりに前記ゲートキーパリレー装置のＩＰアドレスが登録されており、前記複数のＩＰ電話機および前記ゲートウェイ装置と前記ゲートキーパ装置との間で送受信される制御信号の内、前記第２の拠点に設けられた複数のＩＰ電話機およびゲートウェイ装置が送信する制御信号については、前記ゲートキーパリレー装置が当該制御信号を一旦受信した後に、当該制御信号を前記ゲートキーパ装置に中継するように構成されており、前記ゲートキーパ装置が送信する制御信号については、前記ゲートキーパリレー装置が当該制御信号を一旦受信した後に、当該制御信号を前記第２の拠点に設けられた複数のＩＰ電話機およびゲートウェイ装置に中継するように構成されているので、ＩＰ電話機やゲートウェイ装置が複数の拠点に分散設置されているＩＰ電話システムの拠点間を接続するＩＰ網が障害になって前記第１の拠点に設けられたゲートキーパ装置との間でＩＰパケットを正常に送受信不可能な状態になった場合であっても、前記ゲートキーパリレー装置が設けられた前記第２の拠点内のＩＰ電話機から同一拠点内の他のＩＰ電話機や公衆網へ発着信することができるようになる。
【００１４】
請求項２に記載の第２発明は、前記ゲートキーパリレー装置は、前記ゲートキーパ装置との間でＩＰパケットを正常に送受信可能か否かを判定する機能を備え、前記ゲートキーパ装置との間でＩＰパケットを正常に送受信不可能な状態の場合には、前記第２の拠点に設けられた複数のＩＰ電話機およびゲートウェイ装置に対して前記ゲートキーパ装置と同様な動作を行うことを特徴とする。
【００１５】
第２発明によれば、前記ゲートキーパリレー装置は、前記ゲートキーパ装置との間でＩＰパケットを正常に送受信可能か否かを判定する機能を備えており、前記ゲートキーパ装置との間でＩＰパケットを正常に送受信不可能な状態の場合には、前記第２の拠点に設けられた複数のＩＰ電話機およびゲートウェイ装置に対して前記ゲートキーパ装置と同様な動作を行うから、前記第１および第２の拠点間を接続するＩＰ網の障害時には、前記ゲートキーパリレー装置がゲートキーパ装置として動作して前記第２の拠点に設けられた前記複数のＩＰ電話機および前記ゲートウェイ装置の管理および電話発着信の呼制御を行うことになり、前記ＩＰ網の障害に拘わらず前記第２の拠点内のＩＰ電話機から同一拠点内の他のＩＰ電話機や公衆網へ発着信することが可能になる。
【００１６】
請求項３に記載の第３発明は、前記ゲートキーパ装置との間でＩＰパケットを正常に送受信可能か否かを判定する機能は、前記ゲートキーパリレー装置から前記ゲートキーパ装置に定期的に接続確認要求信号を送信し続けたときに、一定時間内に接続確認応答信号を受信した場合にはＩＰパケットを正常に送受信可能と判定し、一定時間内に接続確認応答信号を受信しない場合にはＩＰパケットを正常に送受信不可能と判定するものであることを特徴とする。
【００１７】
第３発明によれば、前記ゲートキーパ装置との間でＩＰパケットを正常に送受信可能か否かを判定する機能は、前記ゲートキーパリレー装置から前記ゲートキーパ装置に定期的に接続確認要求信号を送信し続けたときに、一定時間内に接続確認応答信号を受信した場合にはＩＰパケットを正常に送受信可能と判定し、一定時間内に接続確認応答信号を受信しない場合にはＩＰパケットを正常に送受信不可能と判定するものであるので、前記ゲートキーパリレー装置において前記ゲートキーパ装置との間でＩＰパケットを正常に送受信可能か否かを確実に判定することができる。
【００１８】
請求項４に記載の第４発明は、前記ゲートキーパリレー装置は、前記ゲートキーパ装置が備えている電話番号およびＩＰアドレスを管理するための端末管理テーブルとは独立した端末管理テーブルを備え、前記第２の拠点に設けられた何れか１つのＩＰ電話機やゲートウェイ装置から端末登録信号を受信した場合には、当該端末登録信号を前記ゲートキーパ装置に中継するとともに当該端末登録信号に含まれる情報を一時的に記憶し、前記ゲートキーパ装置から端末登録完了信号を受信した場合には、当該端末登録完了信号を前記第２の拠点に設けられた前記何れか１つのＩＰ電話機およびゲートウェイ装置に中継するとともに、一時的に記憶しておいた当該端末登録信号に含まれる情報を読み出して、前記ゲートキーパリレー装置自体が備える端末管理テーブルに当該電話番号およびＩＰアドレスを登録することを特徴とする。
【００１９】
第４発明によれば、前記ゲートキーパリレー装置は、前記第２の拠点に設けられた何れか１つのＩＰ電話機やゲートウェイ装置から端末登録信号を受信した場合には、当該端末登録信号を前記ゲートキーパ装置に中継するとともに当該端末登録信号に含まれる情報を一時的に記憶し、前記ゲートキーパ装置から端末登録完了信号を受信した場合には、当該端末登録完了信号を前記第２の拠点に設けられた前記何れか１つのＩＰ電話機およびゲートウェイ装置に中継するとともに、一時的に記憶しておいた当該端末登録信号に含まれる情報を読み出して、前記ゲートキーパリレー装置自体が備える端末管理テーブルに当該電話番号およびＩＰアドレスを登録するから、前記第１および第２の拠点間を接続するＩＰ網の障害時には、前記端末管理テーブルを用いて前記第２の拠点に設けられた前記複数のＩＰ電話機および前記ゲートウェイ装置の電話番号およびＩＰアドレスを管理し得るようになり、前記ＩＰ網の障害に拘わらず前記第２の拠点内のＩＰ電話機から同一拠点内の他のＩＰ電話機や公衆網へ発着信することが可能になる。
【００２０】
請求項５に記載の第５発明は、前記ゲートキーパリレー装置は、前記ゲートキーパ装置から端末登録失敗信号を受信した場合には、当該端末登録失敗信号を前記第２の拠点に設けられた前記何れか１つのＩＰ電話機およびゲートウェイ装置に中継するとともに、一時的に記憶しておいた当該端末登録信号に含まれる情報を破棄することを特徴とする。
【００２１】
第５発明によれば、前記ゲートキーパリレー装置は、前記ゲートキーパ装置から端末登録失敗信号を受信した場合には、当該端末登録失敗信号を前記第２の拠点に設けられた前記何れか１つのＩＰ電話機およびゲートウェイ装置に中継するとともに、一時的に記憶しておいた当該端末登録信号に含まれる情報を破棄するから、ＩＰ網の障害によって前記ゲートキーパ装置に対する端末登録が失敗した場合の端末登録信号に含まれる情報を使用せずに、前記何れか１つのＩＰ電話機からの再度の端末登録時に正常に受信した端末登録信号に含まれる情報を用いて端末登録が行われることになる。
【００２２】
請求項６に記載の第６発明は、前記ゲートキーパリレー装置は、前記ゲートキーパ装置との間でＩＰパケットを正常に送受信不可能な状態においては、前記ゲートキーパリレー装置自体が備える端末管理テーブルを参照して、前記ゲートキーパ装置と同様な動作を行うことを特徴とする。
【００２３】
第６発明によれば、前記ゲートキーパリレー装置は、前記ゲートキーパ装置との間でＩＰパケットを正常に送受信不可能な状態においては、前記ゲートキーパリレー装置自体が備える端末管理テーブルを参照して、前記ゲートキーパ装置と同様な動作を行うから、前記ＩＰ網の障害に拘わらず前記第２の拠点内のＩＰ電話機から同一拠点内の他のＩＰ電話機や公衆網へ発着信することが可能になる。
【００２４】
請求項７に記載の第７発明は、前記ゲートキーパリレー装置は、前記ゲートキーパ装置からアドレス通知信号を受信したとき、当該アドレス通知信号に含まれる呼制御信号送信先ＩＰアドレスの内容に拘わらず、前記ゲートキーパリレー装置自体のＩＰアドレスを呼制御信号送信先ＩＰアドレスとして含むアドレス通知信号を前記第２の拠点に設けられた複数のＩＰ電話機およびゲートウェイ装置に送信することを特徴とする。
【００２５】
第７発明によれば、前記ゲートキーパリレー装置は、前記ゲートキーパ装置からアドレス通知信号を受信したとき、当該アドレス通知信号に含まれる呼制御信号送信先ＩＰアドレスの内容に拘わらず、前記ゲートキーパリレー装置自体のＩＰアドレスを呼制御信号送信先ＩＰアドレスとして含むアドレス通知信号を前記第２の拠点に設けられた複数のＩＰ電話機およびゲートウェイ装置に送信するから、前記第２の拠点に設けられた複数のＩＰ電話装置は発信信号を前記第２の拠点に設けられたゲートキーパリレー装置に送信するようになり、前記発信信号を前記第１の拠点に設けられたゲートウェイ装置に送信する場合のような電話の掛け間違いを防止することができる。
【００２６】
請求項８に記載の第８発明は、前記ゲートキーパリレー装置は、宛先番号情報を置換する規則を規定した番号置換テーブルを備え、前記第２の拠点に設けられた複数のＩＰ電話機やゲートウェイ装置から発信信号を受信したときに、当該発信信号に含まれる宛先番号情報を分析し、前記番号置換テーブルに記載されている番号であった場合には、該番号置換テーブルに規定されている規則に従って前記宛先番号情報を置換し、置換後の宛先番号情報を含む発信信号を前記ゲートキーパ装置に送信することを特徴とする。
【００２７】
第８発明によれば、前記ゲートキーパリレー装置は、前記第２の拠点に設けられた複数のＩＰ電話機やゲートウェイ装置から発信信号を受信したときに、当該発信信号に含まれる宛先番号情報を分析し、宛先番号情報を置換する規則を規定した番号置換テーブルに記載されている番号であった場合には、該番号置換テーブルに規定されている規則に従って前記宛先番号情報を置換し、置換後の宛先番号情報を含む発信信号を前記ゲートキーパ装置に送信するから、前記ゲートキーパリレー装置は、前記第２の拠点に設けられた複数のＩＰ電話機から受信した送信信号に含まれる宛先番号情報を加工して前記ゲートキーパ装置に伝達することが可能になり、前記発信信号を前記第１の拠点に設けられたゲートウェイ装置に送信する場合のような電話の掛け間違いを防止することができる。
【００２８】
請求項９に記載の第９発明は、前記ゲートキーパリレー装置は、前記ゲートキーパ装置が備えている宛先番号情報と接続先ゲートウェイ装置との対応を記載したゲートウェイ装置選択テーブルとは独立したゲートウェイ装置選択テーブルを備え、前記ゲートキーパ装置との間でＩＰパケットを正常に送受信不可能な状態の場合には、発信信号を受信したときに当該発信信号に含まれる宛先番号情報を分析し、該宛先番号情報に基づいて前記ゲートキーパリレー装置自体が備えるゲートウェイ装置選択テーブルを参照して、接続するゲートウェイ装置を選択することを特徴とする。
【００２９】
第９発明によれば、前記ゲートキーパリレー装置は、前記ゲートキーパ装置との間でＩＰパケットを正常に送受信不可能な状態の場合には、発信信号を受信したときに当該発信信号に含まれる宛先番号情報を分析し、該宛先番号情報に基づいて前記ゲートキーパリレー装置自体が備えるゲートウェイ装置選択テーブルを参照して、接続するゲートウェイ装置を選択するから、前記ゲートキーパリレー装置と前記ゲートウェイ装置との間で制御信号の送受信ができない場合に、前記ゲートキーパリレー装置自体が備えるゲートウェイ装置選択テーブルに基づく呼制御が行えるようになり、前記発信信号を前記第１の拠点に設けられたゲートウェイ装置に送信する場合のような電話の掛け間違いを防止することができる。
【００３０】
【発明の実施の形態】
以下、本発明の実施の形態を図面に基づき詳細に説明する。図１は本発明の第１実施形態のＩＰ電話システムの全体構成を示す図である。図１に示すＩＰ電話システムは、例えば地理的に離れた複数の拠点（事業所）を持つ企業における２つの拠点である拠点Ａ（東京；市外局番０３）および拠点Ｂ（大阪；市外局番０６）間に導入されているものとする。
【００３１】
図１の構成例では、拠点ＡにはＬＡＮ１ａが構築されており、ＬＡＮ１ａにはルータ（Ｒ）２ａ、複数のＩＰ電話機（内線番号３０００番〜３００３番のＩＰ電話機）３、ゲートウェイ装置（ＧＷ）４ａおよびゲートキーパ装置（ＧＫ）５が接続されている。ＧＷ４ａは公衆電話網６ａに接続されており、ルータ（Ｒ）２ａはＩＰ網７に接続されている。一方、拠点ＢにはＬＡＮ１ｂが構築されており、ＬＡＮ１ｂにはルータ（Ｒ）２ｂ、複数のＩＰ電話機（内線番号４０００番、４００１番のＩＰ電話機）３、ゲートウェイ装置（ＧＷ）４ｂおよびゲートキーパリレー装置（ＧＫＲ）８が接続されている。ＧＷ４ｂは公衆電話網６ｂに接続されており、ルータ（Ｒ）２ｂはＩＰ網７に接続されている。上記構成においては、拠点Ａおよび拠点Ｂの間はＩＰ網７により接続されており、拠点ＡのＬＡＮ１ａには拠点Ａ，拠点Ｂを含むＩＰ電話システム全体を管理する機能および電話発着信を制御する機能等を有するＧＫ５が接続されているため、拠点ＡのＬＡＮ１ａ、拠点ＢのＬＡＮ１ｂに接続されている各装置は、ＩＰ網７経由でＩＰパケットを相互に送受信できる状態になっている。なお、ＩＰ電話システムの制御プロトコルとしては、多くの場合、Ｈ．３２３（ＩＴＵ−Ｔで標準化されている）やＳＩＰ（ＲＦＣで規定されている）が使用されているが、本実施形態のＩＰ電話システムはこれら固有の制御プロトコルに特化したものではなく、制御プロトコルの種別に依存しないため、以下の説明においては制御プロトコルに固有の名称は使用せず、代わりに一般的な名称を使用するものとする。
【００３２】
本実施形態のＩＰ電話システムは、上述した図１１の従来のＩＰ電話システムではゲートキーパ装置（ＧＫ）が設けられていなかった拠点Ｂに、ゲートキーパリレー装置（ＧＫＲ）８を設けるとともに、拠点Ｂに設けられた複数のＩＰ電話機３およびＧＷ４ｂに、ＧＫ５のＩＰアドレスとして当該ゲートキーパ装置のＩＰアドレスの代わりにＧＫＲ８のＩＰアドレスを設定（登録）するように構成されている。ＧＫＲ８は、拠点ＢのＩＰ電話機３およびＧＷ４ｂとＧＫ５の間でやり取りする制御信号を中継するリレー機能を有するとともに、ゲートキーパ装置と同等の機能を有しており、ＩＰ網７が正常に作動してＧＫ５とＧＫＲ８との間で正常にＩＰパケットの送受信が行える状態のときは、拠点ＢのＩＰ電話機３およびＧＷ４ｂと拠点ＡのＧＫ５との間で送受信する制御信号を中継するリレーとして動作し、ＩＰ網７の障害によりＧＫ５にアクセスできなくなってＩＰパケットの送受信が行えない状態のときは、ＧＫ５の代わりにゲートキーパ装置として動作するようになっている。
【００３３】
また、ＧＫＲ８は、ＧＫ５との間でＩＰパケットを正常に送受信可能か否かを判定する機能を備えており、この機能は、ＧＫＲ８からＧＫ５に定期的に接続確認要求信号を送信し続けたときに、一定時間内に接続確認応答信号を受信した場合にはＩＰパケットを正常に送受信可能と判定し、一定時間内に接続確認応答信号を受信しない場合にはＩＰパケットを正常に送受信不可能と判定することによって実現されている。また、ＧＫＲ８は、ＧＫ５からアドレス通知信号を受信したとき、当該アドレス通知信号に含まれる呼制御信号送信先ＩＰアドレスの内容に拘わらず、ＧＫＲ８自体のＩＰアドレスを呼制御信号送信先ＩＰアドレスとして含むアドレス通知信号を拠点Ｂに設けられた複数のＩＰ電話機３およびＧＷ４ｂに送信する機能を有している。
【００３４】
また、ＧＫＲ８は、ＧＫ５が備えている電話番号およびＩＰアドレスを管理するための端末管理テーブルとは独立した端末管理テーブルを備えるとともに、ＧＫ５が備えている宛先番号情報と接続先ゲートウェイ装置との対応を記載したゲートウェイ装置選択テーブルとは独立したゲートウェイ装置選択テーブルを備えいる。さらに、ＧＫＲ８は、宛先番号情報を置換する規則を規定した番号置換テーブルを備えている。
【００３５】
次に、本実施形態のＩＰ電話システムにおける端末登録動作を図２および図３に基づいて説明する。
（１）拠点ＡのＩＰ電話機からＧＫ５への端末登録
拠点Ａにおいて、３０００番のＩＰ電話機３の電源が投入されると、図２のシーケンスに示すように、既に記憶しているＧＫ５のＩＰアドレスに対し、当該ＩＰ電話機の電話番号（この場合、３０００）およびＩＰアドレス（この場合、１０．１．１．１０　）を含む端末登録信号がＧＫ５に送信される。ＧＫ５は、受信した端末登録信号に含まれるＩＰアドレスおよび電話番号を一時的に記憶した後、ＧＫ５内の端末管理テーブルに登録し、その後、３０００番のＩＰ電話機３に端末登録完了信号を返信する。この端末登録により、端末登録前に図３（ａ）に示すように全ての電話番号に対応するＩＰアドレス欄が空欄になっていたＧＫ５の端末登録テーブルは、端末登録完了後には、図３（ｂ）に示すように３０００番に対応するＩＰアドレス欄にＩＰアドレスとして１０．１．１．１０　が記入された状態になる。以下同様にして、拠点Ａの３００１番〜３００３番のＩＰ電話機３の端末登録が行われると、図３（ｂ）に示すように３０００番〜３００３番に対応するＩＰアドレス欄にそれぞれＩＰアドレスが記入された状態になる。
【００３６】
（２）拠点ＢのＩＰ電話機からＧＫ５への端末登録
拠点Ｂにおいて、４０００番のＩＰ電話機３の電源が投入されると、図２のシーケンスに示すように、既に記憶しているＧＫＲ８のＩＰアドレスに対し、当該ＩＰ電話機の電話番号（この場合、４０００）およびＩＰアドレス（この場合、１０．１．２．１０　）を含む端末登録信号がＧＫＲ８に送信される。ＧＫＲ８は、受信した端末登録信号をＧＫ５に中継するとともに前記端末登録信号に含まれるＩＰアドレスおよび電話番号を一時的に記憶しておく。その後、ＧＫＲ８は、ＧＫ５から端末登録完了信号を受信した後、一時的に記憶しておいたＩＰアドレスおよび電話番号末登録信号をＧＫＲ８内の端末管理テーブルに登録する。この端末登録により、端末登録前に図３（ｃ）に示すように全ての電話番号に対応するＩＰアドレス欄が空欄になっていたＧＫＲ８の端末登録テーブルは、端末登録完了後には、図３（ｄ）に示すように４０００番に対応するＩＰアドレス欄にＩＰアドレスとして１０．１．２．１０　が記入された状態になる。その際、ＧＫＲ８およびＧＫ５の間でＩＰパケットが正常に送受信できる状態であれば、ＧＫＲ８は、既に記憶しているＧＫ５のＩＰアドレスに対し、当該ＩＰ電話機の電話番号（この場合、４０００）およびＩＰアドレス（この場合、１０．１．２．１０　）を含む端末登録信号を送信する。ＧＫ５は、受信した端末登録信号に含まれるＩＰアドレスをＧＫ５内の端末管理テーブルに登録した後、４０００番のＩＰ電話機３に端末登録完了信号を返信する。この端末登録により、例えば端末登録前に図３（ａ）に示すように４０００番に対応するＩＰアドレス欄が空欄になっていたＧＫ５の端末登録テーブルは、端末登録完了後には、図３（ｂ）に示すように４０００番に対応するＩＰアドレス欄にＩＰアドレスとして１０．１．２．１０　が記入された状態になる。以下同様にして、拠点Ｂの４００１番のＩＰ電話機３の端末登録が行われると、図３（ｄ）に示すようにＧＫＲ８の端末登録テーブルの４００１番に対応するＩＰアドレス欄にＩＰアドレスとして１０．１．２．１１　が記入された状態になるとともに、図３（ｂ）に示すようにＧＫ５の端末登録テーブルの４００１番に対応するＩＰアドレス欄にＩＰアドレスが記入された状態になる。以上の端末登録の結果、ＧＫＲ８の端末登録テーブルには、拠点ＢのＩＰ電話機に関する情報のみが登録されることになる。
【００３７】
なお、上記のようにしてＧＫＲ８からＧＫ５に４０００番のＩＰ電話機の端末登録信号が中継されたときに、ＧＫＲ８およびＧＫ５の間でＩＰパケットが正常に送受信できない状態であった場合（例えばＩＰ網７が障害になった場合）には、ＧＫ５は前記端末登録信号を受信できないため、図３（ａ）に示すＧＫ５の端末登録テーブルの４０００番に対応するＩＰアドレス欄にＩＰアドレスが記入されず、端末登録が失敗になってしまうため、再登録が必要になる。そこで、その対策として、本実施形態では、ＧＫＲ８は、ＧＫ５から端末登録失敗信号を受信した場合に当該端末登録失敗信号を拠点Ｂの端末登録を失敗した４０００番のＩＰ電話機３およびＧＷ４ｂに中継するとともに、一時的に記憶しておいた当該端末登録信号に含まれる情報を破棄するようにしている。これにより、ＩＰ網の障害によって当該端末登録が失敗した場合の端末登録信号に含まれる情報を使用せずに、端末登録を失敗した４０００番のＩＰ電話機３からの再度の端末登録時に正常に受信した端末登録信号に含まれる情報を用いて、端末登録を行うことになる。
【００３８】
次に、本実施形態のＩＰ電話システムにおいて通常時（ＩＰ網正常動作時）に電話を掛ける場合のシーケンスを図４、図５に基づいて説明する。すなわち、図４に例示した電話発着信シーケンスにおいて、拠点Ｂの４０００番のＩＰ電話機３が拠点Ａの３０００番のＩＰ電話機３のアドレスを問い合わせた場合、このアドレスの問い合わせはＧＫＲ８によってＧＫ５に中継される（アドレス問合せ）。このアドレスの問い合わせを受けたＧＫ５は、ＧＫ５自体のＩＰアドレスを含むアドレス通知信号をＧＫＲ８に通知するが、このアドレス通知信号を受けて中継するＧＫＲ８は、ＧＫ５自体のＩＰアドレスを破棄して、代わりにＧＫＲ８自体のＩＰアドレスを含むアドレス通知信号を４０００番のＩＰ電話機３に返送する（アドレス通知）。これにより、４０００番のＩＰ電話機３は、発信信号（着番号３０００）をＧＫＲ８に送信するようになるので、この発信信号（着番号３０００）をＧＫＲ８がＧＫ５に中継するようなシーケンスとすることができる（発信）。このように発信信号をＧＫＲ８がＧＫ５に中継するようなシーケンスを採用することにより、ＧＫＲ８が発信信号に含まれる宛先番号情報を加工することが可能になる。ただし、図４に例示したシーケンスでは、宛先番号情報は拠点Ａの３０００番のＩＰ電話機３の電話番号である３０００番を示しているため、発信信号を加工せずにそのまま中継している。なお、上記発信信号を受けた３０００番のＩＰ電話機３が応答信号を返送する以降のシーケンスは上述した図１５の場合と同様であるため、説明を省略する。
【００３９】
一方、図５に例示した電話発着信シーケンスは、発信信号を加工して中継するものであり、上記発信信号の加工には図６に示す番号置換テーブルを使用する。すなわち、図５に例示した電話発着信シーケンスにおいて、拠点Ｂの４０００番のＩＰ電話機３が拠点Ｂに接続された公衆電話網６ｂに属する「電話番号０６−１１１１−２２２２の電話機」に電話を掛けるためにその電話機のアドレスを問い合わせた場合、このアドレスの問い合わせ（着番号０−１１１１−２２２２）はＧＫＲ８によってＧＫ５に中継される（アドレス問合せ）。このアドレスの問い合わせを受けたＧＫ５は、ＧＫ５自体のＩＰアドレスを含むアドレス通知信号をＧＫＲ８に通知するが、このアドレス通知信号を受けて中継するＧＫＲ８は、ＧＫ５のＩＰアドレスを破棄して、代わりにＧＫＲ８自体のＩＰアドレスを含むアドレス通知信号を４０００番のＩＰ電話機３に返送する（アドレス通知）。このアドレス通知信号を受けた４０００番のＩＰ電話機３が発信信号（着番号０−１１１１−２２２２）をＧＫＲ８に送信したとき、ＧＫＲ８は、上記発信信号を中継する際にＧＫＲ８内の図６の番号置換テーブルに基づいて当該発信信号に含まれる宛先番号情報を加工するため、先頭の「０」を「９」に置換した宛先番号情報を含む発信信号（着番号９−１１１１−２２２２）をＧＫ５に送信することになる。この発信信号（着番号９−１１１１−２２２２）を受けたＧＫ５は、上述した図１６のゲートウェイ装置選択テーブルを参照して、「９」に対応する拠点ＢのＧＷ４ｂに発信信号（着番号１１１１−２２２２）を送信する。その結果、拠点Ｂの４０００番のＩＰ電話機３は拠点ＢのＧＷ４ｂ経由で大阪（市外局番０６）の「０６−１１１１−２２２２の電話機」との間で通話することができるようになる。
【００４０】
上記のように「ＧＫＲ８が発信信号に含まれる宛先番号情報を加工するシーケンス」を採用したことにより、従来のＩＰ電話システムでは生じていた以下の問題を解消することができる。すなわち、図１９に示す従来のＩＰ電話システムのように拠点Ａおよび拠点ＢのそれぞれにＧＷが接続されている場合、上記図１６のようなゲートウェイ装置選択テーブルを拠点ＡのＧＫに具備させることにより、拠点ＢのＩＰ電話機から「０＋公衆電話網の電話番号」に発信したときに拠点ＡのＧＷ経由で東京（市外局番０３）の公衆電話網の「０３−１１１１−２２２２の電話機」に発信し、「９＋公衆電話網の電話番号」に発信したときに拠点ＢのＧＷ経由で大阪（市外局番０６）の公衆電話網の「０６−１１１１−２２２２の電話機」に発信するようにすることはできる。しかしながら、使用者の脳裏には従来の電話システムの慣習として、公衆電話網に発信する際には「０＋公衆電話網の電話番号」に発信するというイメージが強く残っているため、拠点Ｂの使用者は「０＋公衆電話網の電話番号」に発信してしまうケースが多発しがちである。ここで、拠点Ｂの使用者が「０＋公衆電話網の電話番号」に発信した場合であっても拠点ＡのＧＷ経由で公衆電話網」に発信するようにすることは可能であり、公衆電話網の電話番号として「市外局番から始まる番号」を指定した場合には誤接続が生じることはないが、「市内局番から始まる番号」を指定した場合には誤接続が生じる可能性がある。
【００４１】
例えば、拠点Ａが東京にあり、拠点Ｂが大阪にある場合に、拠点Ｂの使用者が公衆電話網の「０６−１１１１−２２２２」という番号に発信する場合、拠点Ｂは大阪にあるため、拠点Ｂから「０６−１１１１−２２２２」への発信は大阪市内発信となり、公衆電話網では市内発信する場合は市外局番の指定は不要であるから、「０６」を省略した「１１１１−２２２２」のみをダイヤルするのが一般的であるため、拠点Ｂの使用者は、従来の電話システムでは公衆電話網への発信番号「０」に「１１１１−２２２２」を続けた「０−１１１１−２２２２」という番号をダイヤルすることになる。ところが図１１の従来のＩＰ電話システムでは、「０」は拠点Ａ、つまり東京のＧＷを選択する番号であるため、「０−１１１１−２２２２」に発信した場合には、東京の「１１１１−２２２２」、つまり「０３−１１１１−２２２２」という電話番号の電話機に接続されてしまう。この場合、「９−１１１１−２２２２」をダイヤルすれば所望の電話機に接続されるのだが、長年の習慣により「０−１１１１−２２２２」に発信した場合には、誤接続になって電話の掛け間違いが生じる。これに対し、本実施形態のＩＰ電話システムでは、「ＧＫＲ８が発信信号に含まれる宛先番号情報を加工するシーケンス」を採用したため、「拠点Ｂに設けられたＧＷに送信すべき発信信号を拠点Ａに設けられたＧＷに送信する電話の掛け間違い」が生じることはない。
【００４２】
上述したように、本実施形態のＩＰ電話システムは、ＧＫ５およびＧＫＲ８の間でＩＰパケットを正常に送受信できる状態では、ＧＫＲ８は制御信号の中継動作を実行するが、その間、ＧＫＲ８は、図７に示すように、ＧＫ５に対して定期的に接続確認要求信号を送信し続けており、一定時間内にＧＫ５からの接続確認応答信号を受信した場合にはＩＰパケットを正常に送受信可能な状態と判定し、ＩＰ網の障害等により一定時間内にＧＫ５からの接続確認応答信号を受信しなかった場合（タイムアウト時）にはＩＰパケットを正常に送受信不可能な状態と判定する。そして、ＩＰパケットを正常に送受信不可能な状態と判定した場合、ＧＫＲ８は、信号中継動作を中止して、ＧＫとして動作するように機能が切り換わることになる。その場合、図８、図９の電話発着信シーケンスに移行する。
【００４３】
図８は第１実施形態のＩＰ電話システムにおいてＩＰ網障害時に同一拠点内のＩＰ電話機に電話を掛ける場合の電話発着信シーケンスを例示する図である。すなわち、ＩＰ網の障害等によりＧＫ５およびＧＫＲ８の間でＩＰパケットを正常に送受信できない状態になった場合（図７の接続確認応答信号が途絶えた場合）に対応する図８の電話発着信シーケンスにおいて、拠点Ｂの４０００番のＩＰ電話機３が拠点Ｂの４００１番のＩＰ電話機３に電話を掛けるためにＧＫＲ８に拠点Ｂの４００１番のＩＰ電話機３のアドレス（電話番号４００１）を問い合わせたとき、ＧＫＲ８はＧＫＲ８自体のＩＰアドレスを含むアドレス通知信号を４０００番のＩＰ電話機３に返送する（アドレス問い合わせ〜アドレス通知）。このアドレス通知信号を受けた４０００番のＩＰ電話機３が発信信号（着番号４００１）をＧＫＲ８に送信すると、ＧＫＲ８は、ＧＷの機能を発揮して４００１番のＩＰ電話機３に発信する（発信）。この発信に応答した４００１番のＩＰ電話機３が４００１番のＩＰ電話機のＩＰアドレスを含む応答信号をＧＫＲ８に返信すると、ＧＫＲ８は、この応答信号を４０００番のＩＰ電話機３に送信する（応答）。この応答信号には、通話で使用するＩＰアドレスが含まれているので、４０００番のＩＰ電話機３は、通知されたＩＰアドレスに対し、それ自体のＩＰアドレスおよび音声パケットを送受信する音声ポート情報を含む通話パス設定信号を送信する。この通話パス設定信号を受けた４００１番のＩＰ電話機は、それ自体のＩＰアドレスおよび音声パケットを送受信する音声ポート情報を含む通話パス設定完了信号を返信する（通話パス設定〜通話パス設定完了）。以上により、４０００番のＩＰ電話機と４００１番のＩＰ電話機との間に論理的な通話パスが設定され、その後、交換したＩＰアドレスと音声ポートに対して音声パケットが送受信される。
【００４４】
図９は第１実施形態のＩＰ電話システムにおいてＩＰ網障害時に当該拠点に接続された公衆電話網に属する電話機に電話を掛ける場合の電話発着信シーケンスを例示する図である。すなわち、ＩＰ網の障害等によりＧＫ５およびＧＫＲ８の間でＩＰパケットを正常に送受信できない状態になった場合（図７の接続確認応答信号が途絶えた場合）に対応する図９の電話発着信シーケンスにおいて、拠点Ｂの４０００番のＩＰ電話機３が拠点Ｂに接続された公衆電話網６ｂの０６−１１１１−２２２２の電話機に電話を掛けるためにＧＫＲ８に上記電話機のアドレス（着番号０−１１１１−２２２２）を問い合わせたとき、ＧＫＲ８はＧＫＲ８自体のＩＰアドレスを含むアドレス通知信号を４０００番のＩＰ電話機３に返送する（アドレス問い合わせ〜アドレス通知）。このアドレス通知信号を受けた４０００番のＩＰ電話機３が発信信号（着番号０−１１１１−２２２２）をＧＫＲ８に送信したとき、ＧＫＲ８は、ＧＫＲ８内の図１０に示すゲートウエイ装置選択テーブルに基づいて上記発信信号の先頭の「０」に対応する拠点ＢのＧＷ４ｂを選択して、ＧＷ４ｂに発信信号（着番号１１１１−２２２２）を送信する。上記発信信号を受けたＧＷ４ｂは、拠点Ｂに公衆電話網６ｂの「０６−１１１１−２２２２の電話機」に発信する（発信）。この発信に応答した「０６−１１１１−２２２２の電話機」が応答信号を送出したとき、この応答信号を受けたＧＷ４ｂはＧＷ４ｂ自体のＩＰアドレスを含む応答信号をＧＫＲ８に送信し、ＧＷＲ８は上記応答信号を４０００番のＩＰ電話機３に送信（中継）する（応答）。上記応答信号には、通話で使用するＧＷ４ｂのＩＰアドレスが含まれているので、４０００番のＩＰ電話機３は、ＧＷ４ｂに対し、それ自体のＩＰアドレスおよび音声パケットを送受信する音声ポート情報を含む通話パス設定信号を送信する。この通話パス設定信号を受けたＧＷ４ｂは、それ自体のＩＰアドレスおよび音声パケットを送受信する音声ポート情報を含む通話パス設定完了信号を返信する（通話パス設定〜通話パス設定完了）。以上により、４０００番のＩＰ電話機とＧＷ４ｂとの間に論理的な通話パスが設定され、その後、交換したＩＰアドレスと音声ポートに対して音声パケットが送受信され、拠点Ｂの４０００番のＩＰ電話機３は拠点ＢのＧＷ４ｂ経由で大阪（市外局番０６）の「０６−１１１１−２２２２の電話機」との間で通話することができるようになる。
【００４５】
以上説明したように、本実施形態のＩＰ電話システムによれば、ＩＰ電話機やゲートウェイ装置が複数の拠点（例えば拠点Ａおよび拠点Ｂ）に分散設置されているＩＰ電話システムの拠点間を接続するＩＰ網７が障害になって拠点Ａに設けられたＧＫ５との間でＩＰパケットを正常に送受信不可能な状態になった場合に、拠点ＢのＧＫＲ８がＧＫとして動作するので、拠点ＢのＩＰ電話機は拠点ＡのＩＰ電話機やＧＷ４ａとは接続できないものの拠点Ｂの他のＩＰ電話機やＧＷ４ｂとは接続することができるようになる。したがって、ＧＫＲ８が設けられた拠点Ｂ内のＩＰ電話機から同一拠点内の他のＩＰ電話機や公衆網へ発着信することができるようになり、ＩＰ網の障害時に電話が使えなくなるという従来のＩＰ電話システムの問題を解消することができる。
【００４６】
また、本実施形態のＩＰ電話システムによれば、ＩＰ電話機やゲートウェイ装置が複数の拠点（例えば拠点Ａおよび拠点Ｂ）に分散設置されているＩＰ電話システムの拠点間を接続するＩＰ網７が障害になって拠点Ａに設けられたＧＫ５との間でＩＰパケットを正常に送受信不可能な状態になった場合に、上述した「ＧＫＲ８自体のＩＰアドレスを呼制御信号送信先ＩＰアドレスとして含むアドレス通知信号を拠点Ｂに設けられた複数のＩＰ電話機３およびＧＷ４ｂに送信する機能」、「ＧＫＲ８がＩＰ電話機に発信信号を加工して中継する機能」および「発信信号に含まれる宛先番号情報を分析し、該宛先番号情報に基づいて前記ゲートキーパリレー装置自体が備えるゲートウェイ装置選択テーブルを参照して、接続するゲートウェイ装置を選択する機能」により、ＧＫが設けられていない拠点ＢのＩＰ電話機から同一拠点内の他のＩＰ電話機や公衆電話網へ発信する際に問題となる誤接続の問題が解消されるので、ＩＰ電話システムの利便性が大きく向上する。
【図面の簡単な説明】
【図１】本発明の第１実施形態のＩＰ電話システムの全体構成を示す図である。
【図２】第１実施形態のＩＰ電話システムにおける端末登録動作を説明するための図である。
【図３】（ａ）〜（ｄ）は、第１実施形態のＩＰ電話システムにおけるゲートキーパ装置およびゲートキーパリレー装置内の端末登録テーブルの端末登録前後の状態を例示する図である。
【図４】第１実施形態のＩＰ電話システムにおける通常時のＩＰ電話機間通話の電話発着信シーケンスを例示する図である。
【図５】第１実施形態のＩＰ電話システムにおける通常時のＩＰ電話機および公衆電話網の電話機間通話の電話発着信シーケンスを例示する図である。
【図６】第１実施形態のＩＰ電話システムに用いる番号置換テーブルを例示する図である。
【図７】第１実施形態のＩＰ電話システムにおけるゲートキーパリレー装置のＩＰ網障害時の動作の切り換わりを説明するための図である。
【図８】第１実施形態のＩＰ電話システムにおけるＩＰ網障害時の同一拠点内のＩＰ電話機間通話の電話発着信シーケンスを例示する図である。
【図９】第１実施形態のＩＰ電話システムにおけるＩＰ網障害時のＩＰ電話機および公衆電話網の電話機間通話の電話発着信シーケンスを例示する図である。
【図１０】第１実施形態のＩＰ電話システムのゲートキーパリレー装置内のゲートウエイ装置選択テーブルを例示する図である。
【図１１】従来のＩＰ電話システムの全体構成を示す図である。
【図１２】従来のＩＰ電話システムにおける端末登録動作を説明するための図である。
【図１３】（ａ），（ｂ）は、従来のＩＰ電話システムにおけるゲートキーパ装置内の端末登録テーブルの端末登録前後の状態を例示する図である。
【図１４】従来のＩＰ電話システムにおける通常時のＩＰ電話機間通話の電話発着信シーケンスの一例を示す図である。
【図１５】従来のＩＰ電話システムにおける通常時のＩＰ電話機間通話の電話発着信シーケンスの他の例を示す図である。
【図１６】第１実施形態のＩＰ電話システムおよび従来のＩＰ電話システムに用いるゲートキーパ装置内のゲートウェイ装置選択テーブルを例示する図である。
【図１７】従来例のＩＰ電話システムにおける通常時のＩＰ電話機および公衆電話網の電話機間通話の電話発着信シーケンスを例示する図である。
【図１８】従来例のＩＰ電話システムの問題点を説明するための図である。
【図１９】従来例のＩＰ電話システムにおける外線発信時の電話の掛け間違いを説明するための図である。
【符号の説明】
１ａ，１ｂ　ＬＡＮ（構内情報通信網）
２ａ，２ｂ　ルータ
３　ＩＰ電話機
４ａ，４ｂ　ゲートウェイ装置（ＧＷ）
５　ゲートキーパ装置（ＧＫ）
６ａ，６ｂ　公衆電話網
７　ＩＰ網
８　ゲートキーパリレー装置（ＧＫＲ）
【図１】
2004140758.tif 000003
【図２】
2004140758.tif 000004
【図３】
2004140758.tif 000005
【図４】
2004140758.tif 000006
【図５】
2004140758.tif 000007
【図６】
2004140758.tif 000008
【図７】
2004140758.tif 000009
【図８】
2004140758.tif 000010
【図９】
2004140758.tif 000011
【図１０】
2004140758.tif 000012
【図１１】
2004140758.tif 000013
【図１２】
2004140758.tif 000014
【図１３】
2004140758.tif 000015
【図１４】
2004140758.tif 000016
【図１５】
2004140758.tif 000017
【図１６】
2004140758.tif 000018
【図１７】
2004140758.tif 000019
【図１８】
2004140758.tif 000020
【図１９】
2004140758.tif 000021